(57)【要約】  【課題】  室外機の底板上に配置されるベースヒータの位置ずれや浮き上がりを、少ない固定具で防止し、確実に室外機の底板上に固定する。【解決手段】  ベースヒータを底板に固定する固定具に、ベースヒータの一辺を押さえるように形成された第一のヒータ押さえ部と、ベースヒータの一辺と交差する方向にある他辺を押さえるように形成された第二のヒータ押さえ部と、第一と第二のヒータ押さえ部の間に、底板の上方に膨出した底板膨出部と合致する形状に形成された固定具膨出部と、第一と第二のヒータ押さえ部にベースヒータを底板に押圧して固定する突起部を形成する。【選択図】図３
2016223660.tif 000002
【特許請求の範囲】
【請求項１】
筐体の底面に底板を有する空気調和機の室外機において、前記底板の上に配置され、枠状に折り曲げて形成されたベースヒータと、前記ベースヒータを前記底板に固定する固定具とを備え、前記固定具には、前記ベースヒータの一辺を押さえるように形成された第一のヒータ押さえ部と、前記ベースヒータの一辺と交差する方向にある他辺を押さえるように形成された第二のヒータ押さえ部と、前記固定具を前記底板に固定する螺子を挿通するための螺子孔とを有することを特徴とする空気調和機の室外機。
【請求項２】
前記固定具の第一の前記ヒータ押さえ部と第二のヒータ押さえ部には、前記ベースヒータを前記底板に押圧して固定する突起が形成された突起部を有することを特徴とする請求項１に記載の空気調和機の室外機。
【請求項３】
前記底板には上方に膨出した底板膨出部を有し、前記固定具には第一のヒータ押さえ部と第二のヒータ押さえ部の間に、少なくとも前記底板膨出部の外面の一部分に被せ合わさる形状に形成された固定具膨出部を有することを特徴とする請求項１または請求項２に記載の空気調和機の室外機。
【発明の詳細な説明】
【技術分野】
【０００１】
本発明は、熱交換器から滴下したドレン水の凍結を防止するベースヒータを備えた空気調和機の室外機に関する。
【背景技術】
【０００２】
ヒートポンプ式の空気調和機では、暖房運転時に蒸発器として機能する室外機の熱交換器に外気中の水分が霜となって着霜することがある。熱交換器に着霜した状態で暖房運転が行われると熱交換能力の低下を招くため、熱交換器に着霜した霜を取り除く除霜運転が行われるようになっている。
【０００３】
除霜運転が行われると、熱交換器に着霜していた霜が融け、熱交換器から室外機の底板に滴下してドレン水となって底板から室外機の外部へ排出される。しかし、寒冷地などの低外気温下で使用される室外機では、ドレン水が室外機の外部へ排出される前に底板上で再凍結してしまいドレン水を排出できないまま凍結した氷が成長すると、氷がファンと接触するなどにより空気調和機が運転できなくなる場合がある。
【０００４】
そこで低外気温下で使用される空気調和機の室外機では、底板上にベースヒータを配置し、ベースヒータに通電して発熱させることで底板を暖めてドレン水の再凍結を防止するようになっている。
【０００５】
このような空気調和機の室外機において、ベースヒータは底板を暖めやすいように底板上に接触した状態で固定されることが望ましい。このためベースヒータを熱交換器の下部の底板上に固定することができる空気調和機の室外機が知られている。（例えば、特許文献１参照）。
【先行技術文献】
【特許文献】
【０００６】
【特許文献１】特開２００４−６９２２０号公報（第３〜４頁、図１）
【発明の概要】
【発明が解決しようとする課題】
【０００７】
特許文献１の空気調和機の室外機は、室外機の底板上に折り曲げて配置されるベースヒータの平行に配置された部分を、固定具の左右に設けられた凹部でそれぞれ囲いながら底板上に押し付けて固定することができる。しかし、室外機の運転や運搬による振動等が生じた際に、ベースヒータが所定の位置から逸脱したり、底板上から浮き上がらないようにするためには、複数の固定具を設けなければならないという問題があった。
【０００８】
本発明は以上述べた問題点を解決し、少ない固定具でベースヒータの位置ずれや浮き上がりを防止し、確実に室外機の底板上に固定することができる空気調和機の室外機を提供することを目的とする。
【課題を解決するための手段】
【０００９】
本発明は上述の課題を解決するため、本発明の請求項１に記載の空気調和機の室外機は、筐体の底面に底板を有する空気調和機の室外機において、前記底板の上に配置され枠状に折り曲げて形成されたベースヒータと、前記ベースヒータを前記底板に固定する固定具とを備え、前記固定具には、前記ベースヒータの一辺を押さえるように形成された第一のヒータ押さえ部と、前記ベースヒータの一辺と交差する方向にある他辺を押さえるように形成された第二のヒータ押さえ部と、前記固定具を前記底板に固定する螺子を挿通するための螺子孔と、前記固定具を前記底板に固定する螺子を挿通するための螺子孔と、を有することを特徴とする。
【００１０】
また、本発明の請求項２に記載の前記固定具の第一の前記ヒータ押さえ部と第二のヒータ押さえ部には、前記ベースヒータを前記底板に押圧して固定する突起が形成された突起部を有することを特徴とする。
【００１１】
また、本発明の請求項３に記載の前記底板には、上方に膨出した底板膨出部を有し、  前記固定具には第一のヒータ押さえ部と第二のヒータ押さえ部の間に、少なくとも前記底板膨出部の外面の一部分に被せ合わさる形状に形成された固定具膨出部を有することを特徴とする。
【発明の効果】
【００１２】
本発明の空気調和機の室外機によれば、１つの固定具でベースヒータの２辺を固定できるため、少ない固定具でベースヒータの位置ずれや浮き上がりを防止して底板を暖めやすくするとともに、確実に室外機の底板上に固定することができる。
【図面の簡単な説明】
【００１３】
【図１】本発明による空気調和機の室外機の構成を示す分解斜視図である。
【図２】本発明によるベースヒータを固定する固定具を示す斜視図である。
【図３】本発明による底板と底板上に固定されたベースヒータを示す平面図である。
【発明を実施するための形態】
【００１４】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１５】
図１は本発明による空気調和機の室外機の構成を示す分解斜視図である。空気調和機の室外機１００は、前面パネル５００、側面パネル３００、４００、天井パネル６００、底板２００によって形成された箱状の筐体を備えている。
【００１６】
室外機１００の内部は、底板２００に固定された仕切板５により、仕切板５を挟んで左側の熱交換室と、右側の機械室に区画されており、熱交換室側には、筐体の裏面側と一方の側面パネル３００に沿ってＬ字形状に形成された熱交換器２と、送風ファン３、ファンモータ３１、ベースヒータ６を備えている。一方、機械室側には、圧縮機１、および四方弁、膨張弁（いずれも図示を省略）と、これらの制御基板を格納した電装品箱４を備えている。
【００１７】
また、室外機１の内部に備えられている熱交換器２、ベースヒータ６、及び圧縮機１は、底板２００にそれぞれ固定されている。
【００１８】
図２は、本発明によるベースヒータを固定する固定具を示す斜視図である。図２では固定するベースヒータ６と底板２００の部位に合わせて異なる形状に形成された固定具７０（固定具Ａ）と固定具８０（固定具Ｂ）を説明する。
【００１９】
固定具７０，８０は、板金のプレス成形品であり、固定具７０，８０のそれぞれが枠状に折り曲げて配置されたベースヒータ６の交差する方向にある二辺を上部から底板２００に押さえられるように、下方向に開口した断面コの字形状に形成された第一のヒータ押さえ部７１，８１と、第二のヒータ押さえ部７２，８２を備えている。
【００２０】
また、固定具７０，８０には、第一のヒータ押さえ部７１，８１と、第二のヒータ押さえ部７２，８２の間に平面部７６，８６がそれぞれ形成される。また、平面部７６，８６には、固定具７０，８０を底板２００に固定する際に使用する螺子を挿通するための螺子孔７３，８３がそれぞれ複数設けられている。
【００２１】
また、固定具７０，８０には、底板２００に設けられた後述する底板膨張部２０１の一部分に合致する形状に形成された固定具膨出部７４，８４が、第一のヒータ押さえ部７１，８１と、第二のヒータ押さえ部７２，８２の間に設けられている。
【００２２】
また、固定具７０，８０の第一のヒータ押さえ部７１，８１と、第二のヒータ押さえ部７２，８２には、それぞれベースヒータ６を押圧して底板２００に固定するための下方向に突出した突起部７５，８５が設けられている。
【００２３】
突起部７５，８５は第一のヒータ押さえ部７１，８１と、第二のヒータ押さえ部７２，８２と一体にベースヒータ６の長手方向と直交または交差するように形成され、この突起部７５，８５によってベースヒータ６が上方向から押圧され底板２００に固定される。
【００２４】
図３は、本発明による底板と底板上に固定されたベースヒータを示す平面図である。底板２００は、長方形状の板金のプレス成形品であり、底板２００の強度を高めるために底板２００の長手方向に形成された複数の底板膨出部２０１，２０１Ａ，２０１Ｂが設けられている。
【００２５】
底板２００には、底板２００の上に配置された熱交換器２の底部に沿って熱交換室側の底板２００の全体を暖めるために枠状に折り曲げて形成されたベースヒータ６を配置できるようになっている。なお、図３では、ベースヒータ６の底板２００に接している部位の形状を示しており、図３に示す枠状の形状に限らず、環状や枠状に類似するその他の形状に形成されても良い。
【００２６】
固定具７０，８０で底板２００の上にベースヒータ６を固定する際には、ベースヒータ６を固定する位置に対応して、固定具７０の固定具膨出部７４の内面の形状が底板２００の底板膨出部２０１Ａの外面の一部の形状に合致する形状に形成され、固定具８０の固定具膨出部８４の内面の形状が底板２００の底板膨出部２０１Ｂの外面の一部の形状に合致する形状に形成されているため、固定具膨出部７４，８４を底板膨出部２０１Ａ，２０１Ｂに上方向から被せ合わせて螺子止めすることで、側面パネル３００側と前面パネル５００側及び筐体の裏面側と仕切板５側に配置されたベースヒータ６を所定位置へ正確に固定することができる。
【００２７】
また、固定具７０，８０の第一のヒータ押さえ部７１，８１と、第二のヒータ押さえ部７２，８２によってベースヒータ６の交差する方向にある二辺をそれぞれ押さえ、かつ突起部７５，８５によってベースヒータ６の二辺にそれぞれ交差する方向でベースヒータ６を底板２００に押圧して固定することができるため、少ない固定具でベースヒータの位置ずれや浮き上がりを防止して底板２００を暖めやすくするとともに、確実に底板２００の上に固定することができる。
【符号の説明】
【００２８】
１  圧縮機
２  熱交換器
３  送風ファン
３１  ファンモータ
４  電装品箱
５  仕切板
６  ベースヒータ
７０  固定具Ａ
８０  固定具Ｂ
７１，８１  第一のヒータ押さえ部
７２，８２  第二のヒータ押さえ部
７３，８３  螺子孔
７４，８４  固定具膨出部
７５，８５  突起部
７６，８６  平面部
１００  室外機
２００  底板
２０１，２０１Ａ，２０１Ｂ  底板膨出部
３００，４００  側面パネル
５００  前面パネル
６００  天井パネル
【図１】
2016223660.tif 000003
【図２】
2016223660.tif 000004
【図３】
2016223660.tif 000005